(57)【特許請求の範囲】
【請求項１】
回路基板と、
マイクと、
一端が前記マイクに接続されているとともに他端が前記回路基板に接続されており前記マイクを前記回路基板に電気的に接続するリード線と、
前記回路基板を収容した基板収容部、前記基板収容部の周壁部と前記回路基板との間で前記マイクを内側に保持したマイク保持部、及び前記マイクの近傍に位置する集音孔を有するケースと、
を備え、
前記回路基板は、前記回路基板の裏面が前記基板収容部の底部と対向しており、前記回路基板の表面に前記リード線の他端が接続された基板側接続部を備えるとともに、前記基板側接続部と前記マイクとの間に前記回路基板を厚さ方向に貫通したリード線挿通孔を備え、
前記リード線が前記マイクの外表面から出た位置であるリード線取出し位置は、前記基板収容部の底部からの高さが、前記リード線挿通孔における前記回路基板の裏面側の開口部よりも高い位置に位置し、
前記リード線は、前記マイクから前記回路基板と前記基板収容部の底部との間を通り、前記リード線挿通孔を貫通して前記基板側接続部まで延びていることを特徴とするリモコン。
【請求項２】
請求項１に記載のリモコンにおいて、
前記回路基板と前記マイクとの間に、前記リード線の一部を挟持する保持溝があることを特徴とするリモコン。
【請求項３】
請求項１又は請求項２に記載のリモコンにおいて、
前記マイクを内側に保持したマイクゴムを備え、
前記マイク保持部は、前記マイクゴムを内側に保持していることを特徴とするリモコン。
【発明の詳細な説明】
【技術分野】
【０００１】
本発明は、通話機能を有するリモコンに関するものである。
【背景技術】
【０００２】
例えば特許文献１に記載されているように、浴室の壁面に取り付けられる浴室リモコンには、台所の壁面等に設置される台所リモコンとの間での通話機能を有するものがある。特許文献１に記載された浴室リモコンは、浴室リモコンの制御を行うための電子部品が実装された回路基板を収容したケース本体と、ケース本体の前面及び側面を覆うカバーとを備えている。また、ケース本体の内部には、台所リモコンとの間での通話機能を実現するためのマイクが収容されている。マイクは、ケース本体に設けられた第１の集音孔に隣接して配置されている。また、カバーには、第１の集音孔と対向する位置に第２の集音孔が設けられている。そして、マイクは、この第２の集音孔及び第１の集音孔を介して集音する。
【先行技術文献】
【特許文献】
【０００３】
【特許文献１】特開２０１３−１３８２８８号公報
【発明の概要】
【発明が解決しようとする課題】
【０００４】
ところで、マイクは、一端が同マイクに接続されたリード線を介して回路基板に接続されることがある。このような場合、一端がマイクに接続されたリード線を回路基板に接続する時に、リード線が引っ張られ、マイクを保持するケース本体に対してマイクの姿勢が変化することがあった。そして、ケース本体に対してマイクの姿勢が変化すると、ケースに設けられた集音孔に対するマイクの姿勢が変化してしまい、マイク感度が低下する虞がある。
【０００５】
本発明は、上記課題を解決するためになされたものであって、その目的は、マイク感度の低下を抑制することができるリモコンを提供することにある。
【課題を解決するための手段】
【０００６】
上記課題を解決するリモコンは、回路基板と、マイクと、一端が前記マイクに接続されているとともに他端が前記回路基板に接続されており前記マイクを前記回路基板に電気的に接続するリード線と、前記回路基板を収容した基板収容部、前記基板収容部の周壁部と前記回路基板との間で前記マイクを内側に保持したマイク保持部、及び前記マイクの近傍に位置する集音孔を有するケースと、を備え、前記回路基板は、前記回路基板の裏面が前記基板収容部の底部と対向しており、前記回路基板の表面に前記リード線の他端が接続された基板側接続部を備えるとともに、前記基板側接続部と前記マイクとの間に前記回路基板を厚さ方向に貫通したリード線挿通孔を備え、前記リード線が前記マイクの外表面から出た位置であるリード線取出し位置は、前記基板収容部の底部からの高さが、前記リード線挿通孔における前記回路基板の裏面側の開口部よりも高い位置に位置し、前記リード線は、前記マイクから前記回路基板と前記基板収容部の底部との間を通り、前記リード線挿通孔を貫通して前記基板側接続部まで延びている。
【０００７】
この構成によれば、リード線がマイクの外表面から出た位置であるリード線取出し位置は、基板収容部の底部からの高さが、リード線挿通孔における回路基板の裏面側の開口部よりも高い位置に位置している。そして、一端がマイクに接続されたリード線は、基板収容部の底部と回路基板との間からリード線挿通孔を貫通して基板側接続部まで延びている。そのため、マイクから延びるリード線の他端を回路基板に接続する時に当該リード線が引っ張られた場合には、リード線挿通孔の開口部にリード線が接触することができる。そして、リード線挿通孔の開口部とリード線との接触部分において、リード線が引っ張られたことにより同リード線に加わる荷重が吸収される。従って、リード線が引っ張られたことにより同リード線に加わる荷重が、リード線において、リード線挿通孔の開口部との接触部分よりもマイクの方へ伝達されることが抑制される。その結果、マイク保持部の内側でマイクの姿勢が変化することが抑制されるため、集音孔に対してマイクの姿勢が変化することが抑制される。従って、マイク感度の低下を抑制することができる。
【０００８】
上記リモコンにおいて、前記回路基板と前記マイクとの間に、前記リード線の一部を挟持する保持溝があることが好ましい。
この構成によれば、マイクから延びるリード線の他端を回路基板に接続する時に当該リード線が引っ張られた場合に、リード線が引っ張られたことにより同リード線に加わる荷重を、保持溝付近でも吸収することができる。従って、リード線が引っ張られたことにより同リード線に加わる荷重が、リード線において、保持溝にて挟持された部分よりもマイクの方へ伝達されることが抑制される。その結果、マイク保持部の内側でマイクの姿勢が変化することがより抑制されるため、集音孔に対してマイクの姿勢が変化することがより抑制される。従って、マイク感度の低下をより抑制することができる。更に、マイクとリード線との接続部分に荷重がかかることを抑制することができる。
【０００９】
また、マイクにリード線の一端を接続する時に、予めリード線を保持溝に挟持させておくことができる。そして、リード線が保持溝にて挟持された状態で、リード線の一端をマイクに接続すると、リード線が安定した状態で同リード線の一端をマイクに接続することができる。従って、マイクとリード線との接続部分が脆弱になることが抑制されるため、マイクから延びるリード線の他端を回路基板に接続する時にリード線が引っ張られた場合に、リード線がマイクから外れることを抑制することができる。
【００１０】
上記リモコンにおいて、前記マイクを内側に保持したマイクゴムを備え、前記マイク保持部は、前記マイクゴムを内側に保持していることが好ましい。
この構成によれば、マイク保持部がマイクゴムを介してマイクを内側に保持する場合であっても、マイクから延びるリード線の他端を回路基板に接続する時に当該リード線が引っ張られた場合には、リード線挿通孔の開口部にリード線が接触することができる。従って、リード線が引っ張られたことにより同リード線に加わる荷重が、リード線において、リード線挿通孔の開口部との接触部分よりもマイクの方へ伝達されることが抑制される。その結果、マイクゴムの内側でマイクの姿勢が変化することが抑制されるため、集音孔に対してマイクの姿勢が変化することが抑制される。従って、マイク保持部がマイクゴムを介してマイクを内側に保持する場合であっても、マイク感度の低下を抑制することができる。
【発明の効果】
【００１１】
本発明のリモコンによれば、マイク感度の低下を抑制することができる。
【図面の簡単な説明】
【００１２】
【図１】実施形態の浴室リモコンを備えたリモコンシステムの概略図。
【図２】実施形態の浴室リモコンの斜視図。
【図３】実施形態における後ケースが取り外された浴室リモコンの背面図。
【図４】実施形態の浴室リモコンの断面図。
【図５】実施形態における後ケースが取り外された浴室リモコンの部分拡大図。
【図６】実施形態における後ケースが取り外された浴室リモコンの部分拡大斜視図。
【発明を実施するための形態】
【００１３】
以下、リモコンの一実施形態について説明する。
図１に示すように、本実施形態の浴室リモコン１１は、浴室の壁面に設置され、通信ケーブル１２を介して給湯装置１３（具体的には給湯装置１３の図示しない制御部）と通信接続されるものである。また、給湯装置１３には、台所の壁面に設置される台所リモコン１４が通信ケーブル１５を介して通信接続される。そして、浴室リモコン１１と台所リモコン１４との間では、音声信号の送受信により音声通話ができるようになっている。
【００１４】
図２に示すように、浴室リモコン１１のケース２０は、ケース本体３０と、ケース本体３０の前面側に装着された化粧カバー５０とを備えている。また、ケース本体３０は、前ケース３１と、前ケースの後方（即ち浴室の壁面側）に配置される後ケース３２とを備えている。
【００１５】
図２及び図３に示すように、前ケース３１は、四角形の板状をなす基板固定部３３と、基板固定部３３の外周を囲む周壁部３４とを有する。周壁部３４は、基板固定部３３の外周縁部から後方側に突出しており、基板固定部３３に対して直角に立設されている。そして、基板固定部３３と周壁部３４とによって凹状の基板収容部３５が構成されている。また、基板固定部３３が基板収容部３５の底部となっている。
【００１６】
図２及び図４に示すように、後ケース３２は、前ケース３１の外形と略等しい外形を有する四角形の板状をなしており、基板収容部３５の開口部を閉塞するように前ケース３１に対して重ね合わされている。そして、後ケース３２は、周壁部３４の先端部（後方側の端部）に後ケース３２の周縁部が溶着されることにより、前ケース３１に対して液密に固定されている。
【００１７】
また、後ケース３２の中央部には、基板収容部３５の内部とケース２０の外部とを連通する図示しない引出し孔が形成されており、この引出し孔には、ゴム製のグロメット６１が装着されている。グロメット６１は、引出し孔に内嵌されて同引出し孔の内周面に液密に密着している。また、グロメット６１は、基板収容部３５の内部とケース本体３０の外部とを連通する２つの挿通孔６１ａを有する。
【００１８】
図２に示すように、前記基板固定部３３の前面側には、画像表示装置６２が配置されている。本実施形態の画像表示装置６２は、ＬＣＤ（液晶ディスプレイ）である。また、本実施形態の画像表示装置６２は、タッチパネルであり、目標給湯温度の設定等を行うために操作される入力装置も兼ねている。画像表示装置６２は、基板固定部３３と平行をなすように配置されている。また、図２及び図３に示すように、画像表示装置６２の上端部には、フレキシブル基板６３が電気的に接続されている。そして、基板固定部３３は、その上端部の略中央部に、左右方向に延びるスリット状をなし基板固定部３３を前後方向に貫通した基板挿通孔３５ａを有する。フレキシブル基板６３は、この基板挿通孔３５ａから基板収容部３５の内部に引き出されている。
【００１９】
図３に示すように、前記基板収容部３５の内部には、複数の電子部品６４が実装された回路基板６５が配置されている。回路基板６５は、基板固定部３３より外形の小さい略四角形の平板状をなしている。この回路基板６５は、基板固定部３３の後方側に、回路基板６５の裏面６５ｂが基板固定部３３と対向するように且つ基板固定部３３と平行をなすように配置され、複数の螺子６６にて基板固定部３３に固定されている。なお、回路基板６５は、前記基板挿通孔３５ａよりも下方に位置する。また、基板挿通孔３５ａから基板収容部３５の内部に引き出された前記フレキシブル基板６３は、回路基板６５の背面（即ち回路基板６５の表面６５ａ）側まで回り込むとともに、回路基板６５に電気的に接続されている。即ち、画像表示装置６２は、フレキシブル基板６３によって回路基板６５に電気的に接続されている。
【００２０】
また、基板収容部３５の内部には、後方側から見て回路基板６５の左側のやや上方となる位置であって回路基板６５と近接した位置にマイク保持部３６が設けられている。マイク保持部３６は、周壁部３４と回路基板６５との間で基板固定部３３から後方側に突出している。そして、図４乃至図６に示すように、マイク保持部３６は、後方側に開口した略円筒状をなしている。また、マイク保持部３６は、マイク保持部３６において回路基板６５と左右方向に隣り合う部分に、保持溝３６ａを有する。保持溝３６ａは、マイク保持部３６の先端から基端に向かって凹設されている。更に、保持溝３６ａは、マイク保持部３６の内側と外側を連通するようにマイク保持部３６を同マイク保持部３６の径方向に貫通している。図４に示すように、保持溝３６ａの底面３６ｂは、回路基板６５（回路基板６５における基板固定部３３側を向いた裏面６５ｂ）よりも基板固定部３３側に位置している。また、図５及び図６に示すように、マイク保持部３６は、保持溝３６ａからマイク保持部３６の周方向にずれた位置に、係合凹部３６ｃを有する。係合凹部３６ｃは、マイク保持部３６の先端から基端に向かって凹設されている。更に、係合凹部３６ｃは、マイク保持部３６の内側と外側を連通するようにマイク保持部３６を同マイク保持部３６の径方向に貫通している。なお、図４に示すように、基板固定部３３においてマイク保持部３６の内側の部分には、第１の集音孔３７が形成されている。第１の集音孔３７は、基板固定部３３を前後方向に貫通している。
【００２１】
図４乃至図６に示すように、このようなマイク保持部３６の内側には、マイク６７を内側に保持したマイクゴム６８が配置されている。マイク６７は、マイク保持部３６の内径よりも小さい外径を有する略円盤状をなしている。また、マイクゴム６８は、マイク６７の周囲を囲む略円柱状をなす本体部６８ａと、本体部６８ａの外周面から本体部６８ａの径方向外側に突出した係合部６８ｂとを有する。
【００２２】
本体部６８ａは、その外周面に外周側に突出した嵌入部６８ｃを有する。嵌入部６８ｃは、本体部６８ａの外周面に沿った円弧状の突条をなしている。また、本体部６８ａの外径（嵌入部６８ｃにおける外径）は、マイク保持部３６の内径と等しいか僅かに大きい値となっている。そして、本体部６８ａは、嵌入部６８ｃをマイク保持部３６の内周面に接触させた状態でマイク保持部３６の内側に嵌入されている。また、図４に示すように、本体部６８ａは、マイク保持部３６の内側で基板固定部３３と対向する部分にマイクゴム集音孔６８ｄを有する。マイクゴム集音孔６８ｄは、本体部６８ａにおいて第１の集音孔３７と前後方向に並ぶ位置に設けられている。また、図４乃至図６に示すように、本体部６８ａは、マイク６７が露出する切欠き部６８ｅを備えている。切欠き部６８ｅは、本体部６８ａにおいて、保持溝３６ａと隣り合う位置に設けられている。本実施形態では、切欠き部６８ｅは、マイク保持部３６と回路基板６５とが隣接する方向である左右方向に保持溝３６ａと隣り合っている。
【００２３】
図５及び図６に示すように、前記係合部６８ｂは、係合凹部３６ｃに配置されるとともに、係合凹部３６ｃからマイク保持部３６の外周側に突出している。係合部６８ｂにおけるマイク保持部３６の周方向の幅は、係合凹部３６ｃにおけるマイク保持部３６の周方向の幅よりも若干狭くなっている。
【００２４】
図４に示すように、マイクゴム６８と共にマイク保持部３６の内側に配置されたマイク６７は、基板収容部３５の内部で第１の集音孔３７の近傍に位置する。また、同マイク６７には、一対のリード線６９の一端が接続されている。各リード線６９は、マイク６７における切欠き部６８ｅから露出した部分に電気的及び機械的に接続されている。本実施形態では、各リード線６９の一端は、はんだによりマイク６７に接続されている。また、一対のリード線６９の他端にはマイク側コネクタ部７０が接続されている。そして、各リード線６９がマイク６７の外表面から出た位置であるリード線取出し位置Ｐは、基板収容部３５の底部（即ち基板固定部３３）からの高さが、リード線挿通孔６５ｃにおける回路基板６５の裏面６５ｂ側の裏面側開口部６５ｄよりも高い位置に位置している。本実施形態では、各リード線６９は、マイク６７の外表面で同マイク６７と接続されているため、リード線取出し位置Ｐは、各リード線６９におけるマイク６７との接続部分である。また、リード線取出し位置Ｐ及び裏面側開口部６５ｄの基板収容部３５の底部からの高さは、基板収容部３５の底部の任意の点（例えば基板固定部３３におけるマイク保持部３６の内側の任意の一点）を基準位置とした場合の、回路基板６５の厚さ方向におけるリード線取出し位置Ｐ及び裏面側開口部６５ｄと基準位置との間の間隔である。なお、本実施形態では、回路基板６５の厚さ方向においては、リード線取出し位置Ｐと裏面側開口部６５ｄとの間に回路基板６５の表面６５ａが位置している。
【００２５】
図３乃至図５に示すように、回路基板６５は、回路基板６５の表面６５ａに、一対のリード線６９の他端を接続するための基板側コネクタ部７１を備えている。基板側コネクタ部７１は、後方側から見て、回路基板６５においてマイク保持部３６の右側となる位置に設けられている。また、回路基板６５は、基板側コネクタ部７１とマイク６７との間に回路基板６５を厚さ方向に貫通したリード線挿通孔６５ｃを備えている。本実施形態では、リード線挿通孔６５ｃは、後方側から見て、回路基板６５においてマイク６７（マイク保持部３６）の右側であって基板側コネクタ部７１の左側となる位置に設けられており、四角形状をなしている。また、図５に示すように、回路基板６５の厚さ方向から見て、マイク６７と基板側コネクタ部７１とが隣り合う方向（本実施形態では左右方向）を隣接方向Ｘとすると、リード線挿通孔６５ｃにおける隣接方向Ｘと直交する方向（本実施形態では上下方向）の幅Ｄ１は、マイク保持部３６における同方向の幅Ｄ２よりも狭い。更に、リード線挿通孔６５ｃにおける隣接方向Ｘと直交する方向の幅Ｄ１は、保持溝３６ａの幅Ｄ３よりも広い。また、リード線挿通孔６５ｃは、隣接方向Ｘの幅Ｄ４が隣接方向Ｘと直交する方向の幅Ｄ１よりも狭い。
【００２６】
そして、図４及び図６に示すように、マイク６７から延びる一対のリード線６９は、保持溝３６ａに挟持されており、保持溝３６ａからリード線挿通孔６５ｃまで回路基板６５と基板固定部３３（即ち基板収容部３５の底部）との間を延びている。なお、一対のリード線６９において回路基板６５と基板固定部３３の間に配置された部分は、回路基板６５の裏面６５ｂに近接若しくは接触して同裏面６５ｂに沿って延びている。また、一対のリード線６９は、基板固定部３３側からリード線挿通孔６５ｃを貫通しており、リード線挿通孔６５ｃから基板側コネクタ部７１まで回路基板６５の表面６５ａ側（回路基板６５と後ケース３２との間）を延びている。また、マイク６７から延びる一対のリード線６９は、リード線６９の他端側が引っ張られた場合に、リード線挿通孔６５ｃにおける回路基板６５の裏面６５ｂに開口した裏面側開口部６５ｄに接触可能である。そして、一対のリード線６９の他端に接続されたマイク側コネクタ部７０が、基板側コネクタ部７１に挿入されて接続されることにより、マイク６７は回路基板６５に電気的に接続されている。
【００２７】
ここで、浴室リモコン１１の製造時にマイク６７を組み付ける手順を説明する。
図３乃至図６に示すように、前ケース３１の基板収容部３５には、基板側コネクタ部７１を有する回路基板６５が収容され、同回路基板６５は基板固定部３３に螺子６６にて固定されている。この状態で、マイク６７を本体部６８ａの内側に保持したマイクゴム６８を、係合部６８ｂを係合凹部３６ｃに挿入しながらマイク保持部３６の内側に配置する。
【００２８】
次いで、一対のリード線６９における一端寄りの部分を保持溝３６ａに挟み込み、同保持溝３６ａにこれら一対のリード線６９の一部を挟持させる。この状態で、一対のリード線６９の一端を、切欠き部６８ｅから露出したマイク６７に機械的及び電気的に接続する（マイク側接続工程）。本実施形態では、はんだにより一対のリード線６９の一端をマイク６７に接続する。なお、一対のリード線６９の一端をマイク６７に接続した後の状態においては、リード線取出し位置Ｐは、基板収容部３５の底部（即ち基板固定部３３）からの高さが、リード線挿通孔６５ｃの裏面側開口部６５ｄよりも高い位置に位置している。
【００２９】
次いで、一対のリード線６９を、回路基板６５の裏面６５ｂ側からリード線挿通孔６５ｃに挿通する（リード線挿通工程）。この工程では、各リード線６９におけるリード線挿通孔６５ｃよりもマイク６７側の部分は基板収容部３５の底部（即ち基板固定部３３）と回路基板６５との間に配置され、各リード線６９におけるリード線挿通孔６５ｃよりも回路基板６５に接続される端部側（他端側）の部分は回路基板６５の表面６５ａ側に配置されるように、一対のリード線６９をリード線挿通孔６５ｃに挿通する。
【００３０】
次いで、リード線挿通孔６５ｃから回路基板６５の表面６５ａ側に引き出された一対のリード線６９の他端に、マイク側コネクタ部７０を接続する。その後、マイク側コネクタ部７０を基板側コネクタ部７１に接続することにより、一対のリード線６９の他端を回路基板６５に電気的及び機械的に接続する（基板側接続工程）。これにより、マイク６７の組付けが終了する。なお、リード線挿通孔６５ｃから回路基板６５の表面６５ａ側に引き出された一対のリード線６９の他端の回路基板６５への接続は、リード線挿通孔６５ｃの裏面側開口部６５ｄに各リード線６９が接触可能な状態で行われる。
【００３１】
図３に示すように、基板固定部３３には、後方側から見て回路基板６５の右側方となる位置にスピーカ７２が固定されている。そして、図２及び図３に示すように、基板固定部３３におけるスピーカ７２の前方側の部分には、ケース本体３０の外部に音声を放出するための第１の放音孔３８が形成されている。また、図３に示すように、スピーカ７２から延びる一対のリード線７３の先端には、スピーカ側コネクタ部７４が接続されている。そして、スピーカ側コネクタ部７４が、回路基板６５に設けられた基板側コネクタ部７５に挿入されて接続されることにより、スピーカ７２は回路基板６５に電気的に接続されている。
【００３２】
また、回路基板６５には、電源供給等に使用される２本のリード線７６の一端が接続されている。なお、本実施形態では、この２本のリード線７６が前記通信ケーブル１２（図１参照）となっている。２本のリード線７６の一端部は、後方側から見てフレキシブル基板６３の左側となる位置で回路基板６５に接続されている。また、２本のリード線７６の一端は、例えばはんだにより回路基板６５に電気的及び機械的に接続されている。
【００３３】
また、前ケース３１は、フレキシブル基板６３よりも上方に設けられ２本のリード線７６を支持するリード線支持部３９を有する。リード線支持部３９は、フレキシブル基板６３と同フレキシブル基板６３の上部に位置する周壁部３４との間で基板固定部３３から前ケース３１の後方側に突出し左右方向に一列に並んだ３つの支持部３９ａから構成されている。各支持部３９ａは柱状をなしている。そして、２本のリード線７６は、後方側から見て、回路基板６５との接続部分からフレキシブル基板６３の左側を上方に延び、リード線支持部３９を構成する３つの支持部３９ａに対して上下交互に掛け回されている。また、２本のリード線７６は、リード線支持部３９に掛け回された後、フレキシブル基板６３の後方側を通ってグロメット６１の挿通孔６１ａまで直線的に伸びている。そして、２本のリード線７６は、挿通孔６１ａを貫通し同挿通孔６１ａからケース本体３０の外部に引き出されている。
【００３４】
図２に示すように、化粧カバー５０は、ケース本体３０に対して前ケース３１側から装着されている。そして、化粧カバー５０は、ケース本体３０の前面及び側面（即ちケース本体３０の背面以外の部分）を被覆している。また、化粧カバー５０の前面の略中央部には、前ケース３１の前面側に配置された画像表示装置６２と対応する部分に当該画像表示装置６２をケース２０の前面から視認可能とするための表示孔８１が形成されている。なお、化粧カバー５０には、光透過性を有する透明な保護カバー８２が表示孔８１を覆うように装着されている。
【００３５】
また、化粧カバー５０には、マイク６７の近傍となる位置（第１の集音孔３７の近傍となる位置）に第２の集音孔８３が設けられている。マイク６７は、この第２の集音孔８３、第１の集音孔３７及びマイクゴム集音孔６８ｄを介して集音する。また、化粧カバー５０には、第１の放音孔３８の近傍となる位置に第２の放音孔８４が設けられている。スピーカ７２は、第１の放音孔３８及び第２の放音孔８４を介してケース２０の外部に音声を放出する。また、化粧カバー５０の前面には、給湯装置１３（図１参照）の運転のオン・オフをするために操作される電源スイッチ８５が露出する露出孔８６が形成されている。電源スイッチ８５は、前ケース３１（基板固定部３３）の前面に固定されるとともに、回路基板６５に電気的に接続されている。
【００３６】
次に、本実施形態の作用について説明する。
リード線６９がマイク６７の外表面から出た位置であるリード線取出し位置Ｐは、基板収容部３５の底部からの高さが、リード線挿通孔６５ｃの裏面側開口部６５ｄよりも高い位置に位置している。そして、一端がマイク６７に接続された一対のリード線６９は、基板収容部３５の底部（即ち基板固定部３３）と回路基板６５との間からリード線挿通孔６５ｃを貫通して基板側コネクタ部７１まで延びている。そのため、マイク６７から延びる一対のリード線６９の他端を回路基板６５に接続する時に当該リード線６９が引っ張られた場合には、リード線挿通孔６５ｃの裏面側開口部６５ｄにリード線６９が接触することができる。そして、リード線挿通孔６５ｃの裏面側開口部６５ｄとリード線６９との接触部分において、リード線６９が引っ張られたことにより同リード線６９に加わる荷重が吸収される。従って、リード線６９が引っ張られたことにより同リード線６９に加わる荷重が、リード線６９において、リード線挿通孔６５ｃの裏面側開口部６５ｄとの接触部分よりもマイク６７の方へ伝達されることが抑制される。その結果、マイクゴム６８の内側（即ちマイク保持部３６の内側）でマイク６７の姿勢が変化することが抑制されるため、第１の集音孔３７や第２の集音孔８３、マイクゴム集音孔６８ｄに対してマイク６７の姿勢が変化することが抑制される。
【００３７】
次に、本実施形態の特徴的な効果を記載する。
（１）第１の集音孔３７や第２の集音孔８３、マイクゴム集音孔６８ｄに対してマイク６７の姿勢が変化することが抑制されるため、マイク感度の低下を抑制することができる。
【００３８】
（２）マイク保持部３６は、リード線６９の一部を挟持する保持溝３６ａを有する。そのため、マイク６７から延びる一対のリード線６９の他端を回路基板６５に接続する時に当該リード線６９が引っ張られた場合に、リード線６９が引っ張られたことにより同リード線６９に加わる荷重を、保持溝３６ａ付近でも吸収することができる。従って、リード線６９が引っ張られたことにより同リード線６９に加わる荷重が、リード線６９において、保持溝３６ａにて挟持された部分よりもマイク６７の方へ伝達されることが抑制される。その結果、マイクゴム６８の内側でマイク６７の姿勢が変化することがより抑制されるため、第１の集音孔３７や第２の集音孔８３、マイクゴム集音孔６８ｄに対してマイク６７の姿勢が変化することがより抑制される。従って、マイク感度の低下をより抑制することができる。更に、マイク６７とリード線６９との接続部分に荷重がかかることを抑制することができる。
【００３９】
また、マイク６７にリード線６９の一端を接続する時に、予めリード線６９を保持溝３６ａに挟持させておくことができる。そして、リード線６９が保持溝３６ａにて挟持された状態で、リード線６９の一端をマイク６７に接続すると、リード線６９が安定した状態で同リード線６９の一端をマイク６７に接続することができる。従って、マイク６７とリード線６９との接続部分が脆弱になることが抑制されるため、マイク６７から延びるリード線６９の他端を回路基板６５に接続する時にリード線６９が引っ張られた場合に、リード線６９がマイク６７から外れることを抑制することができる。
【００４０】
（３）回路基板６５の厚さ方向から見て、リード線挿通孔６５ｃにおける隣接方向Ｘと直交する方向の幅Ｄ１は、マイク保持部３６における同方向の幅Ｄ２よりも小さく、且つ保持溝３６ａの幅Ｄ３よりも広い。また、リード線挿通孔６５ｃは、隣接方向Ｘの幅Ｄ４が隣接方向Ｘと直交する方向の幅Ｄ１よりも狭い。従って、リード線６９の他端を回路基板６５に接続する時にマイク６７から延びるリード線６９が引っ張られた場合に同リード線６９がリード線挿通孔６５ｃの開口部に接触しやすいとともに、リード線６９をリード線挿通孔６５ｃに挿通しやすい。
【００４１】
なお、上記実施形態は、以下のように変更してもよい。
・上記実施形態では、保持溝３６ａは、マイク保持部３６に設けられている。しかしながら、保持溝３６ａは、基板収容部３５の内部で回路基板６５とマイク６７との間にあればよい。例えば、保持溝３６ａは、マイク６７を内側に保持したマイクゴム６８に設けられていてもよい。また、マイク保持部３６とマイクゴム６８との両方に保持溝３６ａが設けられていてもよい。なお、マイク保持部３６やマイクゴム６８に必ずしも保持溝３６ａを設けなくてもよい。
【００４２】
・リード線６９の他端を回路基板６５に接続する時にマイク６７から延びるリード線６９が引っ張られた場合に同リード線６９がリード線挿通孔６５ｃの開口部に接触可能であれば、リード線挿通孔６５ｃにおける隣接方向Ｘの幅Ｄ４及び隣接方向Ｘと直交する方向の幅Ｄ１は変更してもよい。
【００４３】
・上記実施形態では、リード線挿通孔６５ｃは、回路基板６５の厚さ方向から見て四角形状をなしている。しかしながら、リード線挿通孔６５ｃは、マイク６７と基板側コネクタ部７１との間で回路基板６５を同回路基板６５の厚さ方向に貫通する形状であれば、上記実施形態の形状に限らない。但し、リード線挿通孔６５ｃは、リード線６９の他端を回路基板６５に接続する時にマイク６７から延びるリード線６９が引っ張られた場合に、同リード線６９が当該リード線挿通孔６５ｃの開口部に接触可能な形状である。例えば、リード線挿通孔６５ｃは、多角形状、円形状等であってもよい。
【００４４】
・上記実施形態では、リード線６９の他端は、マイク側コネクタ部７０を介して回路基板６５の表面６５ａに設けられた基板側コネクタ部７１に接続されている。しかしながら、リード線６９の他端は、はんだ付け、溶接等によって回路基板６５の表面に電気的及び機械的に接続されていてもよい。
【００４５】
・上記実施形態では、各リード線６９の一端は、はんだによりマイク６７に電気的及び機械的に接続されている。しかしながら、リード線６９の一端とマイク６７との接続は、はんだに限らず、溶接等によりなされたものであってもよい。
【００４６】
・上記実施形態では、マイク６７と回路基板６５とを接続するリード線６９の本数は、２本である。しかしながら、マイク６７と回路基板６５とを接続するリード線６９の本数は、これに限らず、適宜変更してもよい。
【００４７】
・上記実施形態では、マイク保持部３６は、略円筒状をなしている。しかしながら、マイク保持部３６の形状はこれに限らず、周壁部３４と回路基板６５との間でマイクゴム６８を内側に保持する形状であればよい。例えば、マイク保持部３６は、基板固定部３３に凹設された凹部であってもよい。
【００４８】
・上記実施形態では、マイク保持部３６は、マイク６７を保持したマイクゴム６８をマイク保持部３６の内側に保持することにより、マイク保持部３６の内側にマイク６７を保持している。しかしながら、マイク保持部３６は、マイクゴム６８にて保持されていないマイク６７を直接内側に保持するものであってもよい。このようにしても、上記実施形態と同様に、マイク６７から延びる一対のリード線６９の他端を回路基板６５に接続する時に当該リード線６９が引っ張られた場合には、リード線挿通孔６５ｃの裏面側開口部６５ｄとリード線６９との接触部分において、リード線６９が引っ張られたことにより同リード線６９に加わる荷重が吸収される。従って、マイク保持部３６の内側でマイク６７の姿勢が変化することが抑制されるため、第１の集音孔３７や第２の集音孔８３、マイクゴム集音孔６８ｄに対してマイク６７の姿勢が変化することが抑制される。よって、マイク感度の低下を抑制することができる。
【００４９】
・上記実施形態では、ケース２０は、ケース本体３０と化粧カバー５０とから構成されている。しかしながら、ケース２０の構成はこれに限らず、皿状の前ケースと前ケースの後方側で前ケースの開口部を閉塞する後ケースとのみから構成されてもよい。この場合、画像表示装置６２等は全て前ケースと後ケースとの間に収容される。
【００５０】
・上記実施形態では、マイク６７を組み付ける際、マイク側接続工程の後にリード線挿通工程を行い、その後、基板側接続工程を行っている。しかしながら、マイク６７を組み付ける際の順序はリード線挿通工程及びマイク側接続工程よりも後に、基板側接続工程が行われるのであれば、これに限らない。例えば、リード線挿通工程の後にマイク側接続工程を行い、その後、基板側接続工程を行ってもよい。
【００５１】
・上記実施形態では、通話機能を有するリモコンの一例として、浴室の壁面に取り付けられる浴室リモコン１１を挙げた。しかしながら、浴室の壁面に取り付けられる浴室リモコン１１以外の、通話機能を有するリモコン（例えば、台所の壁面に取り付けられる台所リモコン１４や、リビングの壁面等に取り付けられるインターホン用のリモコン等）に上記実施形態や上記変更例を実施してもよい。
【００５２】
次に、上記実施形態及び変更例から把握できる技術的思想を以下に追記する。
（イ）回路基板と、マイクと、一端が前記マイクに接続されるとともに他端が前記回路基板に接続され前記マイクを前記回路基板に電気的に接続するリード線と、前記回路基板を収容する基板収容部、前記基板収容部の周壁部と前記回路基板との間で前記マイクを内側に保持するマイク保持部、及び前記マイクの近傍に位置する集音孔を有するケースと、を備えたリモコンの製造方法であって、前記回路基板は、前記回路基板の裏面が前記基板収容部の底部と対向し、前記回路基板の表面に前記リード線の他端が接続される基板側接続部を備えるとともに、前記基板側接続部と前記マイクとの間に前記回路基板を厚さ方向に貫通したリード線挿通孔を備え、前記リード線における前記リード線挿通孔よりも前記マイク側の部分は前記基板収容部の底部と前記回路基板との間に配置され、前記リード線における前記リード線挿通孔よりも他端側の部分は前記回路基板の表面側に配置されるように、前記リード線を前記リード線挿通孔に挿通するリード線挿通工程と、前記リード線の一端を前記マイクに接続するマイク側接続工程と、前記リード線挿通工程及び前記マイク側接続工程よりも後に、前記リード線の他端を前記回路基板に接続する基板側接続工程と、を備え、前記マイク側接続工程の後には、前記リード線が前記マイクの外表面から出た位置であるリード線取出し位置は、前記基板収容部の底部からの高さが、前記リード線挿通孔における前記回路基板の裏面側の開口部よりも高い位置に位置し、前記基板側接続工程は、前記リード線挿通孔の開口部に前記リード線が接触可能な状態で行われることを特徴とするリモコンの製造方法。
【００５３】
この方法によれば、リード線挿通工程において、リード線は、リード線挿通孔よりもマイク側の部分（即ち一端側の部分）は基板収容部の底部と回路基板との間に配置され、リード線挿通孔よりも他端側の部分は回路基板の表面側に配置されるように、リード線挿通孔に挿通される。また、マイク側接続工程の後には、リード線がマイクの外表面から出た位置であるリード線取出し位置は、基板収容部の底部からの高さが、リード線挿通孔における回路基板の裏面側の開口部よりも高い位置に位置する。そのため、リード線挿通工程及びマイク側接続工程よりも後に行われる基板側接続工程においてマイクから延びるリード線の他端を回路基板に接続する時に当該リード線が引っ張られた場合には、リード線挿通孔の開口部にリード線が接触することができる。そして、リード線挿通孔の開口部とリード線との接触部分において、リード線が引っ張られたことにより同リード線に加わる荷重が吸収される。従って、リード線が引っ張られたことにより同リード線に加わる荷重が、リード線において、リード線挿通孔の開口部との接触部分よりもマイクの方へ伝達されることが抑制される。その結果、マイクゴムの内側でマイクの姿勢が変化することが抑制されるため、集音孔に対してマイクの姿勢が変化することが抑制される。従って、製造されたリモコンにおけるマイク感度の低下を抑制することができる。
【００５４】
（ロ）前記（イ）に記載のリモコンの製造方法において、前記回路基板と前記マイクとの間に、前記リード線の一部を挟持する保持溝があり、前記マイク側接続工程では、前記リード線の一部を前記保持溝に挟持させた後に、前記リード線の一端を前記マイクに接続することを特徴とするリモコンの製造方法。
【００５５】
この方法によれば、基板側接続工程においてマイクから延びるリード線の他端を回路基板に接続する時に当該リード線が引っ張られた場合、リード線が引っ張られたことにより同リード線に加わる荷重を、保持溝付近でも吸収することができる。従って、リード線が引っ張られたことにより同リード線に加わる荷重が、リード線において、保持溝にて挟持された部分よりもマイクの方へ伝達されることが抑制される。その結果、マイク保持部の内側でマイク姿勢が変化することがより抑制されるため、集音孔に対してマイクの姿勢が変化することがより抑制される。従って、製造されたリモコンにおけるマイク感度の低下をより抑制することができる。更に、マイクとリード線との接続部分に荷重がかかることを抑制することができる。
【００５６】
また、マイク側接続工程では、リード線を保持溝に挟持させた後に、リード線の一端をマイクに接続する。即ち、リード線が保持溝にて保持された状態で同リード線の一端をマイクに接続するため、リード線が安定した状態で同リード線の一端をマイクに接続することができる。従って、マイクとリード線との接続部分が脆弱になることが抑制されるため、基板側接続工程においてマイクから延びるリード線の他端を回路基板に接続する時にリード線が引っ張られた場合に、リード線がマイクから外れることを抑制することができる。
【符号の説明】
【００５７】
１１…リモコンとしての浴室リモコン、２０…ケース、３３…基板収容部の底部としての基板固定部、３４…周壁部、３５…基板収容部、３６…マイク保持部、３６ａ…保持溝、３７…集音孔としての第１の集音孔、６５…回路基板、６５ａ…表面、６５ｂ…裏面、６５ｃ…リード線挿通孔、６５ｄ…開口部としての裏面側開口部、６７…マイク、６８…マイクゴム、６９…リード線、７１…基板側接続部としての基板側コネクタ部、８３…集音孔としての第２の集音孔、Ｐ…リード線取出し位置。
【図１】
0006577357.tif 000002
【図２】
0006577357.tif 000003
【図３】
0006577357.tif 000004
【図４】
0006577357.tif 000005
【図５】
0006577357.tif 000006
【図６】
0006577357.tif 000007